(57)【要約】【課題】  ワークを固定する固定装置を容易に組み立てることができる工具セットを提供する。【解決手段】  工具セットは、固定装置内の第１貫通孔から突出したピンの先端を保持することにより固定装置を支持する支持台と、第１貫通孔内のスプリングの中心部と、第１貫通孔を塞ぐ蓋の中心孔とを通って第１貫通孔に挿入されることにより、スプリング及び蓋を第１貫通孔内に案内する案内棒と、一端から他端に向かってテーパ状に狭まって第１貫通孔と他端で連通する第２貫通孔が設けられ、第１貫通孔内で溝部と係合することで蓋を固定するＣリングを、第２貫通孔を介し、Ｃリングの径より小さい第１貫通孔内に案内する案内工具と、Ｃリングを一端から第２貫通孔内に押し込み、案内棒が挿入された第１貫通孔内に他端から押し込む柱状の押し込み工具とを有し、押し込み工具には、Ｃリングを押し込むとき、案内棒の端部を収容する収容孔が設けられている。【選択図】図８
2019177433.tif 000002
【特許請求の範囲】
【請求項１】
ワークを固定する固定装置内の第１貫通孔から突出したピンの先端を保持することにより前記固定装置を支持する支持台と、
前記第１貫通孔内で前記ピンの後端を付勢するスプリングの中心部と、前記スプリングを押圧した状態で前記第１貫通孔を塞ぐ蓋の中心孔とを通って前記第１貫通孔に挿入されることにより、前記スプリング及び前記蓋を前記第１貫通孔内に案内する案内棒と、
一端から他端に向かってテーパ状に狭まって前記第１貫通孔と前記他端で連通するように重ねられる第２貫通孔が設けられ、前記第１貫通孔を画定する内壁の溝部と係合することにより前記第１貫通孔内の前記蓋の位置を固定するＣリングを、前記第２貫通孔を介し、前記Ｃリングより径が小さい前記第１貫通孔内に案内する案内工具と、
前記Ｃリングを前記一端から前記第２貫通孔内に押し込み、前記案内棒が挿入された前記第１貫通孔内に、前記Ｃリングを前記溝部と係合させるように前記他端から押し込む柱状の押し込み工具とを有し、
前記押し込み工具には、前記Ｃリングを押し込むとき、前記固定装置から突出した前記案内棒の端部を収容する収容孔が設けられていることを特徴とする工具セット。
【発明の詳細な説明】
【技術分野】
【０００１】
本発明は、工具セットに関する。
【背景技術】
【０００２】
例えば特許文献１に記載されたクランプ装置のように、ワークを作業台に固定する固定装置が知られている。固定装置は、その内部の貫通孔から突出したピン状部材（例えばノックピン）をワークの孔に挿入することによりワークを所定位置に固定する。ピン状部材は、貫通孔内でスプリングにより突出方向に付勢されている。
【先行技術文献】
【特許文献】
【０００３】
【特許文献１】特開２００３−２６６２６２号公報
【発明の概要】
【発明が解決しようとする課題】
【０００４】
例えば、固定装置の貫通孔は、スプリングに押し当てられた蓋により塞がれる。蓋は、貫通孔を画定する内壁の溝部に係合されたＣリングにより貫通孔内の所定の位置に固定される。
【０００５】
Ｃリングの径は貫通孔の径より小さいため、固定装置の組み立て作業では、作業者が、一方の手で貫通孔内のスプリングを蓋により抑えつつ、他方の手でＣリングの径を縮めながら、Ｃリングを貫通孔内の溝部の位置まで押し込む必要がある。このように、抑える動作と縮める動作を、両手を使って同時に行う作業は困難であり、熟練した技術が必要となるため、未熟な作業者は、作業中、スプリングの弾性力でＣリング、蓋、及びスプリングを飛ばしてしまい、作業を何度もやり直すことがある。
【０００６】
そこで本発明は上記の課題に鑑みてなされたものであり、ワークを固定する固定装置を容易に組み立てることができる工具セットを提供することを目的とする。
【課題を解決するための手段】
【０００７】
本明細書に記載の工具セットは、ワークを固定する固定装置内の第１貫通孔から突出したピンの先端を保持することにより前記固定装置を支持する支持台と、前記第１貫通孔内で前記ピンの後端を付勢するスプリングの中心部と、前記スプリングを押圧した状態で前記第１貫通孔を塞ぐ蓋の中心孔とを通って前記第１貫通孔に挿入されることにより、前記スプリング及び前記蓋を前記第１貫通孔内に案内する案内棒と、一端から他端に向かってテーパ状に狭まって前記第１貫通孔と前記他端で連通するように重ねられる第２貫通孔が設けられ、前記第１貫通孔を画定する内壁の溝部と係合することにより前記第１貫通孔内の前記蓋の位置を固定するＣリングを、前記第２貫通孔を介し、前記Ｃリングより径が小さい前記第１貫通孔内に案内する案内工具と、前記Ｃリングを前記一端から前記第２貫通孔内に押し込み、前記案内棒が挿入された前記第１貫通孔内に、前記Ｃリングを前記溝部と係合させるように前記他端から押し込む柱状の押し込み工具とを有し、前記押し込み工具には、前記Ｃリングを押し込むとき、前記固定装置から突出した前記案内棒の端部を収容する収容孔が設けられている。
【発明の効果】
【０００８】
本発明によれば、ワークを固定する固定装置を容易に組み立てることができる。
【図面の簡単な説明】
【０００９】
【図１】固定装置により固定されたワークの一例を示す側面図である。
【図２】スプリングの交換作業における固定装置の一例を示す図である。
【図３】固定装置を支持台にセットした様子の一例を示す図である。
【図４】案内棒を用いてスプリング及び蓋を貫通孔内に案内した様子の一例を示す図である。
【図５】リングガイドの一例を示す図である。
【図６】押し込み棒を用いて、Ｃリングをリングガイドの入口から入口側貫通孔に押し込む様子の一例を示す図である。
【図７】押し込み棒を用いて、Ｃリングを入口側貫通孔から出口側貫通孔に押し込む様子の一例を示す図である。
【図８】押し込み棒を用いて、Ｃリングを出口側貫通孔からノックピンボディの貫通孔に押し込む様子の一例を示す図である。
【図９】比較例において、押し込み棒を用いて、Ｃリングを出口側貫通孔からノックピンボディの貫通孔に押し込む様子を示す図である。
【発明を実施するための形態】
【００１０】
図１は、固定装置１により固定されたワーク９１の一例を示す側面図である。図１において、符号ｇは鉛直下方を示す。ワーク９１としては、例えばエンジンのシリンダーブロックが挙げられるが、これに限定されない。
【００１１】
作業テーブル９０の上の所定の位置には、複数の固定装置１が取り付けられている。固定装置１は、先端にテーパ形状を有する筒型のノックピンボディ１０と、ノックピンボディ１０から先端が突出するノックピン１１とを有する。ノックピン１１の先端は、ワーク９１の下部の基準面９１０に設けられた挿入孔９１ａに挿入される。
【００１２】
これにより、ワーク９１は、固定装置１により作業テーブル９０上の所定の位置に固定される。したがって、ワーク９１に対する様々な加工作業（研磨など）が容易となる。
【００１３】
ノックピン１１は、固定装置１内のスプリングにより付勢されている。このため、ノックピン１１は、ワーク９１の挿入孔９１ａの奥に突き当てるまで挿入され、ワーク９１を十分に支持することができる。
【００１４】
固定装置１内のスプリングは経年劣化により弾性力が低下するため、適切な時期ごとにスプリングを交換する必要がある。スプリングの交換作業は、例えばノックピン１１を鉛直下方に向けた状態で行われる。
【００１５】
図２は、スプリング１３の交換作業における固定装置１の一例を示す図である。図２には、鉛直方向に沿った固定装置１の断面図（「固定装置断面」参照）と、固定装置１の上面図（「固定装置上面」参照）と、蓋１４の上面図（「蓋上面」参照）と、Ｃリングの上面図（「Ｃリング上面」参照）とが示されている。
【００１６】
固定装置１は、ノックピンボディ１０と、ノックピン１１と、飛び出し防止ピン１２と、スプリング１３と、蓋１４と、Ｃリング１５とを有する。ノックピンボディ１０には、鉛直方向に沿った円柱形状の貫通孔１００が設けられており、ノックピン１１、スプリング１３、蓋１４、及びＣリング１５は貫通孔内に設けられている。貫通孔１００を画定する内壁には、その内壁を一周するように溝部１０１が形成されている。なお、ノックピン１１はピンの一例であり、貫通孔１００は第１貫通孔の一例である。
【００１７】
ノックピン１１は、ノックピンボディ１０の先端側に位置し、その先端１１０は貫通孔１００から突出している。ノックピン１１は、先端１１０と後端１１２の間に、他部分より径が小さいくびれ部１１１を有する。ノックピン１１の後端１１２は、スプリング１３の一端に接しており、スプリング１３により鉛直下方ｇに向かって付勢されている。
【００１８】
ノックピン１１の先端１１０は、支持台２の支持孔２０に挿入されている。支持台２は、ノックピン１１の先端１１０を保持することにより固定装置１を支持する。
【００１９】
飛び出し防止ピン１２は、ノックピンボディ１０の側面から貫通孔１００内に挿入され、ノックピン１１のくびれ部１１１に当接する。飛び出し防止ピン１２は、スプリング１３により押し出されたノックピン１１の後端１１２に引っ掛かることにより、ノックピン１１がスプリング１３の付勢力により貫通孔１００の外部に飛び出すことを防止する。
【００２０】
スプリング１３の他端には、円盤形状の蓋１４が押し当てられている。蓋１４は、互いの中心が一致するように重なる大径部１４０及び小径部１４１を有する。大径部１４０の径Ｒｆは、小径部１４１の径より大きく、貫通孔１００の径Ｒｈとほぼ同じである。
【００２１】
蓋１４は、大径部１４０の円形の表面がスプリングに接した状態で貫通孔１００内に収容されている。また、小径部１４１は、Ｃリング１５の内径部１５０に嵌る。
【００２２】
Ｃリング１５は、径Ｒｃが貫通孔１００の径Ｒｈより大きく、縮められた状態で溝部１０１に係合している。溝部１０１の径Ｒｓは、貫通孔１００の径Ｒｈより大きく、Ｃリング１５の径Ｒｃより小さい。このため、Ｃリング１５は、復元力により溝部１０１内に固定される。蓋１４は、スプリング１３により付勢されるが、大径部１４０と小径部１４１の段差部分がＣリング１５に当接することにより貫通孔１００内の所定位置に固定される。
【００２３】
このように、Ｃリング１５は、溝部１０１と係合することにより蓋１４の位置を固定し、蓋１４は、スプリング１３を押圧した状態で貫通孔１００を塞ぐ。
【００２４】
Ｃリング１５の径Ｒｃは貫通孔１００の径Ｒｈより大きいため、固定装置１の組み立て作業では、作業者が、一方の手で貫通孔１００内のスプリング１３を蓋により抑えつつ、他方の手でＣリング１５の径を縮めながら、Ｃリングを貫通孔１００内の溝部１０１の位置まで押し込む必要がある。このように、抑える動作と縮める動作を同時に行う作業は困難であり、熟練した技術が必要となるため、未熟な作業者は、作業中、スプリング１３の弾性力でＣリング１５、蓋１４、及びスプリング１３を飛ばしてしまい、作業を何度もやり直すことがある。
【００２５】
これに対し、実施例の工具セットによると、以下に述べる作業により固定装置１の組み立てが上記の作業より容易となる。
【００２６】
図３は、固定装置１を支持台２にセットした様子の一例を示す図である。図３において、図２と共通する構成には同一の符号を付し、その説明は省略する。図３には、鉛直方向に沿った固定装置１の断面図（「固定装置断面」参照）と、固定装置１の上面図（「固定装置上面」参照）とが示されている。
【００２７】
固定装置１は、スプリング１３、蓋１４、及びＣリング１５が貫通孔１００ａから取り出された状態において、貫通孔１００ａから突出したノックピン１１の先端１１０が支持台２の支持孔２０に挿入されることにより支持されている。支持台２は、工具セットに含まれる。
【００２８】
固定装置１は、図２の例との差分として、ノックピンボディ１０ａの貫通孔１００ａの端部にテーパ形状の入口部１０２が設けられている。入口部１０２は、後述するようにリングガイドの位置決めに用いられる。なお、貫通孔１００ａは第１貫通孔の一例である。
【００２９】
図４は、案内棒３を用いてスプリング１３及び蓋１４ａを貫通孔１００ａ内に案内した様子の一例を示す図である。図４において、図２及び図３と共通する構成には同一の符号を付し、その説明は省略する。図４には、鉛直方向に沿った固定装置１の断面図（「固定装置断面」参照）と、案内棒３に対応する蓋１４ａの上面図（「蓋上面」参照）とが示されている。
【００３０】
案内棒３は、工具セットに含まれる棒状の工具である。作業者は、案内棒３をスプリング１３及び蓋１４ａの中心に通し、貫通孔１００ａ内に挿入する。蓋１４ａは、案内棒３を通すための中心孔１４２が設けられている点において上記の蓋１４と異なる。
【００３１】
案内棒３は、スプリング１３及び蓋１４ａを通したまま、貫通孔１００ａ内に挿入されることによりスプリング１３及び蓋１４ａを貫通孔１００ａ内に案内する。このため、スプリング１３を手作業で貫通孔１００ａ内に入れる場合とは異なり、例えばスプリング１３の姿勢が歪むことが抑制されるため、作業者は容易にスプリング１３を貫通孔１００ａ内に入れることができる。
【００３２】
また、蓋１４ａは、案内棒３に通された状態で貫通孔１００ａ内に案内されるため、径方向をほぼ水平に維持したまま、貫通孔１００ａ内に案内される。このため、Ｃリング１５を溝部１０１に係合させることが容易となる。
【００３３】
貫通孔１００ａから露出した案内棒３の部分は、さらに、Ｃリング１５を案内するリングガイドの貫通孔に通される。
【００３４】
図５は、リングガイド４の一例を示す図である。図５には、鉛直方向に沿ったリングガイド４の断面図（「リングガイド断面」参照）と、リングガイド４の上面図（「リングガイド上面」参照）と、Ｃリング１５の上面図（「Ｃリング上面」参照）とが示されている。
【００３５】
リングガイド４は、工具セットに含まれ、Ｃリング１５をノックピンボディ１０ａの貫通孔１００ａ内に案内する案内工具の一例である。リングガイド４は、略円筒状の工具であり、入口側貫通孔４０及び出口側貫通孔４１が設けられている。リングガイド４は、Ｃリング１５が、入口４３から入口側貫通孔４０に押し込まれ、さらに入口側貫通孔４０から出口側貫通孔４１に押し込まれる。
【００３６】
入口側貫通孔４０は、Ｃリング１５の入口４３から境界部４５まで設けられ、出口側貫通孔４１は、境界部４５からＣリング１５の出口４４まで設けられている。入口側貫通孔４０は、テーパ状に形成されており、入口４３から境界部４５に向かって径が縮小する。入口４３における入口側貫通孔４０の径ＲｔはＣリング１５の径Ｒｃより大きく、境界部４５における入口側貫通孔４０の径Ｒｈは、ノックピンボディ１０ａの貫通孔１００ａと一致する。また、出口側貫通孔４１は一定の径Ｒｈを有する。
【００３７】
このように、入口側貫通孔４０及び出口側貫通孔４１は、Ｃリング１５の入口４３から出口４４に向かってテーパ状に狭まっている。このため、Ｃリング１５を入口側貫通孔４０に押し込むことによりＣリング１５の径Ｒｃを縮小することが可能である。リングガイド４は、縮小したＣリング１５を、入口側貫通孔４０及び出口側貫通孔４１を介してノックピンボディ１０ａの貫通孔１００ａに案内する。なお、入口側貫通孔４０及び出口側貫通孔４１は第２貫通孔の一例であり、入口４３及び出口４４は、それぞれ、第２貫通孔の一端及び他端の一例である。
【００３８】
リングガイド４の出口４４側の外周面にはテーパ形状の先端部４２が形成されている。先端部４２の形状は、ノックピンボディ１０ａの入口部１０２の形状に一致する。リングガイド４は、先端部４２をノックピンボディ１０ａの入口部１０２に合わせた状態でノックピンボディ１０ａの上に重ねられる。このため、ノックピンボディ１０ａに対するリングガイド４の位置は容易に決定される。
【００３９】
このとき、出口側貫通孔は、ノックピンボディ１０ａの貫通孔１００ａと出口４４で連通するように重ねられる。このため、入口側貫通孔４０及び出口側貫通孔４１とノックピンボディ１０ａの貫通孔１００ａは、鉛直方向において一直線上に並ぶ。
【００４０】
作業者は、押し込み棒を用いて、Ｃリング１５を入口４３から入口側貫通孔４０及び出口側貫通孔４１に押し込み、Ｃリング１５が押し込まれたリングガイド４をノックピンボディ１０ａに重ねる。作業者は、さらに押し込み棒を用いて、Ｃリング１５を出口側貫通孔４１からノックピンボディ１０ａの貫通孔１００ａに押し込む。これにより、Ｃリング１５は貫通孔１００ａの溝部１０１に係合される。
【００４１】
図６は、押し込み棒５を用いて、Ｃリング１５をリングガイド４の入口４３から入口側貫通孔４０に押し込む様子の一例を示す図である。図６において、図５と共通する構成には同一の符号を付し、その説明は省略する。図６には、鉛直方向に沿ったリングガイド４の断面図（「リングガイド断面」参照）と、押し込み棒５の側面図（「押し込み棒側面」参照）と、押し込み棒５の上面図（「押し込み棒上面」参照）とが示されている。
【００４２】
押し込み棒５は、工具セットに含まれ、柱状の押し込み工具の一例である。押し込み棒５は、略円柱形状の大径部５０及び小径部５１を有する。大径部５０及び小径部５１の円形の端面は、Ｃリング１５の姿勢を水平に維持したまま、Ｃリング１５を押し込めるように平坦に形成されている。なお、押し込み棒５の外形は、入口側貫通孔４０、出口側貫通孔４１、及びリングガイド４の貫通孔１００ａの形状に合わせて円形であることが望ましいが、Ｃリング１５の押し込みに支障がなければ、他の形状であってもよい。
【００４３】
大径部５０の径Ｒａは小径部５１の径Ｒｂより大きい。大径部５０は、Ｃリング１５を入口４３から入口側貫通孔４０に押し込むために用いられ、小径部５１は、Ｃリング１５を入口側貫通孔４０から出口側貫通孔４１に押し込み、さらに出口側貫通孔４１からノックピンボディ１０ａの貫通孔１００ａに押し込むために用いられる。
【００４４】
このため、小径部５１の鉛直方向の長さは大径部よりも長い。また、小径部５１には、Ｃリング１５を押し込むときに案内棒３が邪魔にならないように、ノックピンボディ１０ａから突出した案内棒３の端部を収容する収容孔５２が設けられている。
【００４５】
作業者は、Ｃリング１５の姿勢を水平に保ったまま、Ｃリング１５を入口４３付近にセットする。そして、作業者は、矢印Ｐａで示されるように、押し込み棒５の大径部５０の端面をＣリング１５に当て、Ｃリング１５を境界部４５付近まで押し込む。なお、押し込み後のＣリング１５は点線で示されている。
【００４６】
入口側貫通孔４０は入口４３から出口４４に向かってテーパ状に狭まっているため、作業者は、Ｃリング１５を押し込むだけでＣリング１５の径を容易に縮小させることができる。さらに、作業者は、押し込み棒５の小径部５１を用いてＣリング１５を出口側貫通孔４１に押し込む。
【００４７】
図７は、押し込み棒５を用いて、Ｃリング１５を入口側貫通孔４０から出口側貫通孔４１に押し込む様子の一例を示す図である。図７において、図６と共通する構成には同一の符号を付し、その説明は省略する。図７には、鉛直方向に沿ったリングガイド４の断面図（「リングガイド断面」参照）と、押し込み棒５の側面図（「押し込み棒側面」参照）とが示されている。
【００４８】
作業者は、矢印Ｐｂで示されるように、押し込み棒５の小径部５１の端面をＣリング１５に当て、入口側貫通孔４０内で縮小されたＣリング１５を出口４４付近まで押し込む。なお、押し込み後のＣリング１５は点線で示されている。
【００４９】
次に、作業者は、出口４４付近にＣリング１５が押し込まれたリングガイド４をノックピンボディ１０ａに重ね、その状態において、Ｃリング１５を出口側貫通孔４１からノックピンボディ１０ａの貫通孔１００ａに押し込む。
【００５０】
図８は、押し込み棒５を用いて、Ｃリング１５を出口側貫通孔４１からノックピンボディ１０ａの貫通孔１００ａに押し込む様子の一例を示す図である。図８において、図７と共通する構成には同一の符号を付し、その説明は省略する。図８には、鉛直方向に沿った固定装置１の断面図（「固定装置断面」参照）と、鉛直方向に沿ったリングガイド４の断面図（「リングガイド断面」参照）と、押し込み棒５の側面図（「押し込み棒側面」参照）とが示されている。
【００５１】
作業者は、出口４４付近にＣリング１５が押し込まれたリングガイド４をノックピンボディ１０ａに重ねる。このとき、リングガイド４は、その先端部４２がノックピンボディ１０ａの入口部１０２に嵌るようにノックピンボディ１０ａに重ねられる。これにより、出口側貫通孔４１がノックピンボディ１０ａの貫通孔１００ａに一直線上に重なる。
【００５２】
また、作業者は、リングガイド４をノックピンボディ１０ａに重ねるとき、ノックピンボディ１０ａが突出した案内棒３の端部を押し込み棒５の収容孔５２に挿入する。このため、作業者が押し込み棒５によりＣリング１５を押し込むとき、押し込み棒５の端面と案内棒３が干渉することがない。
【００５３】
作業者は、押し込み棒５の収容孔５２に案内棒３の端部を収容したまま、矢印Ｐｃで示されるように、押し込み棒５の小径部５１の端面をＣリング１５に当て、出口側貫通孔４１内で縮小されたＣリング１５をリングガイド４の出口４４付近からノックピンボディ１０ａの貫通孔１００ａまで押し込む。押し込み棒５の押し込む力によりスプリング１３は縮み、Ｃリング１５は溝部１０１の位置まで移動する。
【００５４】
このとき、Ｃリング１５の厚みは貫通孔１００ａの溝部１０１の幅より小さいため、縮小されたＣリング１５は、その復元力によって溝部１０１に係合される。作業者は、Ｃリング１５が溝部１０１に係合したことを、Ｃリング１５と溝部１０１の接触時の音により認識することができる。なお、溝部１０１に係合したＣリング１５は点線で示されている。
【００５５】
このように、押し込み棒５は、Ｃリング１５を入口４３から入口側貫通孔４０内に押し込み、案内棒３が挿入されたノックピンボディ１０ａの貫通孔１００ａ内に、Ｃリング１５を溝部１０１と係合させるように出口４４から押し込む。このとき、押し込み棒５は、ノックピンボディ１０ａから突出した案内棒３の端部を収容孔５２に収容するため、Ｃリング１５を押し込むときに案内棒３と干渉することがない。また、スプリング１３は案内棒３に通されているため、その姿勢が、押し込み棒５の押し込む力により歪むことが抑制される。
【００５６】
これにより、作業者は、押し込み棒５によりＣリング１５を押し込むだけで、Ｃリング１５の径Ｒｃを縮めるだけでなく、スプリング１３も縮小させて、Ｃリング１５を溝部１０１に係合させることができる。このため、作業者は、スプリング１３を抑える動作とＣリング１５を縮める動作を、両手を使って同時に行う必要がない。したがって、本実施例の工具セットによると、固定装置１を容易に組み立てることができる。
【００５７】
本実施例では、上述したように、リングガイド４の先端部４２がテーパ形状を有しているため、ノックピンボディ１０ａに対するリングガイド４の位置が容易に決定される。このため、出口側貫通孔４１をノックピンボディ１０ａの貫通孔１００ａに高精度に一致されることができる。このため、Ｃリング１５は、ほぼ水平の姿勢を維持したまま、押し込み棒５により貫通孔１００ａに押し込まれる。
【００５８】
図９は、比較例において、押し込み棒５を用いて、Ｃリング１５を出口側貫通孔４１からノックピンボディ１０ａの貫通孔１００ａに押し込む様子を示す図である。図９において、図８と共通する構成には同一の符号を付し、その説明は省略する。図９には、鉛直方向に沿った固定装置１の断面図（「固定装置断面」参照）と、鉛直方向に沿った比較例のリングガイド４ａの断面図（「リングガイド断面」参照）と、押し込み棒５の側面図（「押し込み棒側面」参照）とが示されている。
【００５９】
比較例のリングガイド４ａの先端部４２ａは、テーパ形状ではなく、平坦な形状を有している。このため、リングガイド４ａの位置決めが難しく、出口側貫通孔４１とノックピンボディ１０ａの貫通孔１００ａの間で軸がずれてしまい、符号Ｐｄで示されるように、押し込み棒５により押し込まれたＣリング１５の姿勢が、貫通孔１００ａ内で水平方向から大きくずれる。この場合、Ｃリング１５を溝部１０１に係合させることができない。
【００６０】
したがって、本実施例のように、リングガイド４ａの先端部４２をテーパ形状とすることが望ましい。なお、リングガイド４ａの位置決めを容易とする手段としては、先端部４２をテーパ形状とすることに限定されず、例えば、リングガイド４ａとノックピンボディ１０ａの各接触面に位置決め用の凸凹部を設けることによっても位置決めを容易とすることができる。また、支持台２、Ｃリング１５、蓋１４，１４ａ、案内棒３、押し込み棒５、リングガイド４，４ａ、ノックピン１１、ノックピンボディ１０，１０ａ、及びスプリング１３の素材として鉄が挙げられるが、これに限定されない。
【００６１】
上述した実施形態は本発明の好適な実施の例である。但し、これに限定されるものではなく、本発明の要旨を逸脱しない範囲内において種々変形実施可能である。
【符号の説明】
【００６２】
１      固定装置
２      支持台
３      案内棒
４，４ａ     リングガイド（案内工具）
５      押し込み棒（押し込み工具）
１０，１０ａ     ノックピンボディ
１１      ノックピン（ピン）
１３      スプリング
１４，１４ａ     蓋
１５      Ｃリング
４０      入口側貫通孔（第２貫通孔）
４１      出口側貫通孔（第２貫通孔）
４３      入口（一端）
４４      出口（他端）
５２      収容孔
９１      ワーク
１００，１００ａ    貫通孔（第１貫通孔）
１０１     溝部
１４２     中心孔
【図１】
2019177433.tif 000003
【図２】
2019177433.tif 000004
【図３】
2019177433.tif 000005
【図４】
2019177433.tif 000006
【図５】
2019177433.tif 000007
【図６】
2019177433.tif 000008
【図７】
2019177433.tif 000009
【図８】
2019177433.tif 000010
【図９】
2019177433.tif 000011